(57)【要約】【課題】　暗い場所でも支障なく作業可能とする。【解決手段】　本体ハウジング２における延設部２３の前方には、皿状のライトユニット２８が装着されている。ライトユニット２８は、後端が延設部２３の前端開口といんろう結合され、この結合状態で、後方へ延設した連結片を、延設部２３内で半割ハウジング４へ形成されたボス３０にネジ固定することで、ハンマーケース１３の下面に張り付く格好で固定される。ライトユニット２８内では、ＬＥＤ３２を備えた基板３３が、ＬＥＤ３２が前方斜め上へ向く姿勢で固定され、ライトユニット２８の先端に設けた透孔３４からＬＥＤ３２の光が照射される。【選択図】　図１
2004114299.tif 000002
【特許請求の範囲】
【請求項１】
　モータを内蔵する本体ハウジングの前方に、打撃機構を内蔵するハンマーケースを組み付け、そのハンマーケースの前方に工具を突設する一方、前記本体ハウジングにおける前記ハンマーケースの下方位置に、前記モータを駆動させるスイッチトリガーを設けた打撃工具であって、
　前記本体ハウジングにおける前記スイッチトリガーの上方に、前記ハンマーケースの下方部分を覆う延設部を形成し、その延設部に、前記工具の前方を照射可能な照明体を設けたことを特徴とする打撃工具。
【発明の詳細な説明】
【技術分野】
【０００１】
　本発明は、モータを内蔵する本体ハウジングの前方に、打撃機構を内蔵するハンマーケースを組み付けてなるインパクトドライバ等の打撃工具に関する。
【背景技術】
【０００２】
　インパクトドライバ等の打撃工具においては、特許文献１に開示の如く、モータを内蔵する本体ハウジングに、打撃機構を内蔵するハンマーケースを前方から組み付け、そのハンマーケースの前方に突出させたアンビルに工具を装着可能としている。一方、本体ハウジングにおけるハンマーケースの下方位置には、モータを駆動させるスイッチトリガーを設けている。
【０００３】
【特許文献１】特開平７−１４８６６９号公報
【発明の開示】
【発明が解決しようとする課題】
【０００４】
　このような打撃工具を用いて暗い場所で作業を行う場合、先端の工具による作業箇所が見えにくく、作業性が良くなかった。
【０００５】
　そこで、請求項１に記載の発明は、暗い場所でも支障なく作業を行うことができる打撃工具を提供することを目的としたものである。
【課題を解決するための手段】
【０００６】
　上記目的を達成するために、請求項１に記載の発明は、本体ハウジングにおけるスイッチトリガーの上方に、ハンマーケースの下方部分を覆う延設部を形成し、その延設部に、工具の前方を照射可能な照明体を設けたことを特徴とするものである。
【発明の効果】
【０００７】
　請求項１に記載の発明によれば、照明体によって作業箇所を照明できるため、暗い場所でも支障なく作業を行うことができる。特に、本体ハウジングに延設部を形成して照明体を設けたことで、形状の単純化を損なうことなく好適な位置で照明機能が付与可能となっている。
【発明を実施するための最良の形態】
【０００８】
　以下、本発明の実施の形態を図面に基づいて説明する。
　図１はインパクトドライバの一部縦断面図で、インパクトドライバ１は、左右の半割ハウジング３，４を組み付けて形成される本体ハウジング２に、モータ５を内蔵し、モータ５の前方（図１の右側）に、インターナルギヤケース８及びハンマーケース１３を組み付けてなる。インターナルギヤケース８は、図２にも示すように前方から４本のネジ９，９・・によって本体ハウジング２へ固定され、モータ５の出力軸６をボールベアリング７を介して軸支すると共に、前端に突設されたリング部１０でインターナルギヤ１１を保持する。このリング部１０の外周には左ネジの雄ネジ部１２が形成されている。
【０００９】
　ハンマーケース１３は、後方を開口した断面釣鐘形状を呈し、後端内周に、インターナルギヤケース８側の雄ネジ部１２と螺合する雌ネジ部１４を形成しており、雌ネジ部１４と雄ネジ部１２との螺合により、ハンマーケース１３をインターナルギヤケース８へねじ込み結合可能となっている。また、ハンマーケース１３内には、インターナルギヤ１１内で噛合する２つの遊星歯車１６，１６を保持するスピンドル１５が設けられ、その後端部は、インターナルギヤケース８に支持されるボールベアリング１７によって、出力軸６と同軸で軸支されている。このスピンドル１５は、ハンマーケース１３に軸支されるアンビル１８に同軸で遊挿され、その前方部位には、コイルバネ１９によって前方に付勢され、アンビル１８の後面と係合可能なハンマー２０が、ボール２１，２１を介して連結されている。
【００１０】
　一方、本体ハウジング２には、スイッチトリガー２２の上方でハンマーケース１３の下方部分を覆う延設部２３が、前方を開口して形成されている。延設部２３の内部には、図４に示すように、ラック２４が左右方向へ移動可能に収容されて、半割ハウジング４側から延設部２３に遊挿されるネジ２６に螺合されている。このラック２４は、上面に、ハンマーケース１３外面で周方向に等間隔で並設された複数の凹部としてのディンプル２７，２７・・に噛合可能な歯２５，２５を有するもので、これらのラック２４、ネジ２６、ディンプル２７によってハンマーケース１３の回り止め機構が構成される。
【００１１】
　また、延設部２３の前方には、皿状のライトユニット２８が装着されている。ライトユニット２８は、後端が延設部２３の前端開口といんろう結合され、この結合状態で、後方へ延設した連結片２９を、図３に示すように、延設部２３内で半割ハウジング４へ形成されたボス３０にネジ３１によって固定することで、ハンマーケース１３の下面に張り付く格好で固定される。ライトユニット２８内では、図５にも示す如く、ＬＥＤ３２を備えた基板３３が、ＬＥＤ３２が前方斜め上へ向く姿勢で固定可能となっており、固定状態で、ライトユニット２８の先端に設けた透孔３４からＬＥＤ３２の光が照射される。３５はＬＥＤ３２のリード線で、ライトユニット２８及び延設部２３内を引き回されてモータ５の駆動回路と電気的接続されている。
【００１２】
　以上の如く構成されたインパクトドライバ１においては、インターナルギヤケース８を本体ハウジング２にネジ固定し、スピンドル１５等をセットした状態で、アンビル１８を軸支したハンマーケース１３を、インターナルギヤケース８のリング部１０に所定のトルクでねじ込む。その後、延設部２３の前方からラック２４を、ディンプル２７，２７・・に噛合させた状態で差し込み、延設部２３の左側からネジ２６を螺合させて締め付けると、ラック２４は図４の右側にネジ送りされ、左ネジで螺合しているハンマーケース１３は、ラック２４との間に遊びのない状態で固定される。なお、ここではディンプル２７，２７・・間の山が延設部２３内に必ず３つは露出するように設定されているから、延設部２３内でラック２４が噛合できないことはなく、固定はスムーズに行える。
　最後に、リード線３５と接続されている基板３３をライトユニット２８に組み付け、そのままライトユニット２８を前述のように延設部２３にネジ止めすれば、インパクトドライバ１の組付けは完了する。
【００１３】
　そして、スイッチトリガー２２を操作してモータ５を駆動させると、出力軸６の回転が遊星歯車１６，１６・・を介してスピンドル１５に伝わり、スピンドル１５を回転させる。スピンドル１５は、ボール２１を介してハンマー２０を回転させ、ハンマー２０が係合するアンビル１８を回転させるため、アンビル１８の先端に装着したビット３６によってネジ締め等が可能となる。また、モータ５の駆動と共にＬＥＤ３２が点灯し、ビット３６の前方を照射する。
　ネジ締めが進んでアンビル１８への負荷が高まると、ハンマー２０がコイルバネ１９の付勢に抗して後退してアンビル１８との係合を一旦解き、スピンドル１５と共に回転しつつ再びコイルバネ１９の付勢により前進してアンビル１８と係合する。この係脱の繰り返しによってアンビル１８に間欠的な打撃が加えられ、増し締めが可能となる。よって、インパクトドライバ１には打撃による振動が発生し、特に前方のハンマーケース１３に最も振動が伝わることになるが、ラック２４による回り止めがなされているため、ハンマーケース１３が振動で緩むことはない。
【００１４】
　このように上記形態のインパクトドライバ１によれば、ハンマーケース１３はインターナルギヤケース８へねじ込み結合されるのと合わせて、回り止め機構が設けられているから、本体ハウジング２やハンマーケース１３の周囲に出っ張りが生じず、作業の邪魔になったり母材を傷つけたりするおそれはなくなる。また、結合の信頼性も確保される。さらに、本体ハウジング２やハンマーケース１３の形状が単純化することで、加工が容易となるのに加え、本体ハウジング２に対するハンマーケース１３の位相決めの必要がないから組み付けも簡単となる。
【００１５】
　また、ハンマーケース１３の回り止め機構を、ハンマーケース１３のディンプル２７と、ディンプル２７に噛合するラック２４と、そのラック２４をねじ込み方向側へネジ送りするネジ２６とから形成しているから、ハンマーケース１３の回り止めが簡単且つ確実に実現可能となる。
　そして、ここではライトユニット２８を取り付けているから、作業箇所を照明でき、暗い場所でも支障なく作業を行うことができる。特に、回り止め機構を内設する延設部２３を利用してその前方位置にライトユニット２８を取り付けたことで、インパクトドライバ１の形状の単純化を損なうことなく好適な位置で照明機能が付与可能となっている。
【００１６】
　なお、上記形態では、ハンマーケース１３を本体ハウジング２側のインターナルギヤケース８にねじ込み結合しているが、本体ハウジングにネジ部を形成してハンマーケースを直接螺合させても良い。また、本体ハウジング側を雌ネジ、ハンマーケース側を雄ネジとして結合させても差し支えない。
　さらに、回り止め機構は、ハンマーケースの外面と係合して回り止め可能であれば、ディンプル等の凹部の数や形状、ラックの歯の数や形状を適宜設計変更可能であるし、ライトユニットと延設部も、一方を正負の端子を突設したプラグ形状、他方をソケット形状として電気的接続と着脱とをより簡単にすることもできる。その他、インパクトドライバに限らず、アングルインパクトドライバ等の他の打撃工具にも本発明は適用可能である。
【図面の簡単な説明】
【００１７】
【図１】インパクトドライバの一部縦断面図である。
【図２】Ａ−Ａ線断面図である。
【図３】Ｂ−Ｂ線断面図である。
【図４】Ｃ−Ｃ線断面図である。
【図５】Ｄ−Ｄ線断面図である。
【符号の説明】
【００１８】
　１‥インパクトドライバ、２‥本体ハウジング、８‥インターナルギヤケース、１１‥インターナルギヤ、１２‥雄ネジ部、１３‥ハンマーケース、１４‥雌ネジ部、１５‥スピンドル、１８‥アンビル、２０‥ハンマー、２３‥延設部、２４‥ラック、２７‥ディンプル、２８‥ライトユニット、３２‥ＬＥＤ、３３‥基板。
【図１】
2004114299.tif 000003
【図２】
2004114299.tif 000004
【図３】
2004114299.tif 000005
【図４】
2004114299.tif 000006
【図５】
2004114299.tif 000007